(57)【特許請求の範囲】
【請求項１】
収容体と、
前記収容体の外部からの光が入射するレンズを有し、前記収容体に収容されたカメラと、
前記レンズの前記光の入射側から前記カメラを覆い、前記レンズへの前記光の入射を許容するシートと、
シャッターと、
前記収容体に設けられ、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、
を備え、
前記シートは、外周縁が前記カメラの撮像領域の外周面を囲むように位置され前記レンズへの前記光の入射を許容する透明領域と、前記撮像領域外に位置され前記透明領域を囲んだ非透明領域と、を有し、
前記シャッターには、前記シャッターが前記開位置に位置された場合に、前記レンズの前記入射側に位置して前記透明領域に面し、前記レンズから遠ざかるにつれて径が大きくなり、外周面が前記撮像領域の前記外周面を囲む貫通孔が設けられた、電子機器。
【請求項２】
前記シャッターは、厚さ方向が前記カメラの光軸に沿い長手方向が前記シャッターのスライド移動方向に沿う帯板状のベース部と、前記スライド移動方向における前記ベース部の中央部に対して前記スライド移動方向の一方側に位置し前記ベース部から前記ベース部の短手方向に沿って互いに離れる方向に延び、前記シャッター支持部に接触した一対の第１の突起と、前記中央部に対して前記スライド移動方向の他方側に位置し前記ベース部から前記短手方向に沿って互いに離れる方向に延び、前記シャッター支持部に接触した一対の第２の突起と、を有し、
前記シャッター支持部は、前記ベース部を、前記ベース部が前記カメラと前記シートとの間に位置して前記レンズを前記入射側から覆う閉位置と、前記ベース部が前記レンズを露出させる開位置と、の間で、スライド移動可能に、前記一対の第１の突起と前記一対の第２の突起とを介して支持した、請求項１に記載の電子機器。
【請求項３】
前記シャッターと前記シャッター支持部との一方には、位置決め突起が設けられ、
前記シャッターと前記シャッター支持部との他方には、前記シャッターが前記閉位置に位置された場合に前記位置決め突起が嵌る第１の開口部と、前記シャッターが前記開位置に位置された場合に前記位置決め突起が嵌る第２の開口部と、が設けられた、請求項１または２に記載の電子機器。
【請求項４】
収容体と、
前記収容体の外部からの光が入射するレンズを有し、前記収容体に収容されたカメラと、
前記レンズの前記光の入射側から前記カメラを覆い、前記レンズへの前記光の入射を許容するシートと、
シャッターと、
前記収容体に設けられ、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、
を備え、
前記シャッターは、前記カメラの光軸に沿い前記カメラから前記シートに向かう第１の方向を向いた第１の面と前記第１の面の反対側の第２の面とを有したベース部と、前記第１の面から前記第１の方向に突出した操作片と、を有し、
前記シャッター支持部は、前記第１の方向を向き前記シャッターの前記第１の面と面する面を有し、
前記シャッターの前記第２の面と前記シャッター支持部の前記面との一方には、位置決め突起が設けられ、
前記シャッターの前記第２の面と前記シャッター支持部の前記面との他方には、前記シャッターが前記閉位置に位置された場合に前記位置決め突起が嵌る第１の開口部と、前記シャッターが前記開位置に位置された場合に前記位置決め突起が嵌る第２の開口部と、が設けられた、電子機器。
【請求項５】
収容体と、
前記収容体の外部からの光が入射するレンズを有し、前記収容体に収容されたカメラと、
前記レンズの前記光の入射側から前記カメラを覆い、前記レンズへの前記光の入射を許容するシートと、
シャッターと、
前記収容体に設けられ、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、
を備え、
前記シャッターは、厚さ方向が前記カメラの光軸に沿い長手方向が前記シャッターのスライド移動方向に沿う帯板状に構成され、第１の部分と、前記長手方向に前記第１の部分と並べられ前記第１の部分よりも厚さが薄い第２の部分と、を有したベース部を有し、
前記シャッターの前記第２の部分と前記シャッター支持部との一方には、前記ベース部の厚さ方向に延びた位置決め突起が設けられ、
前記シャッターの前記第２の部分と前記シャッター支持部との他方には、前記シャッターが前記閉位置に位置された場合に前記位置決め突起が嵌る第１の開口部と、前記シャッターが前記開位置に位置された場合に前記位置決め突起が嵌る第２の開口部が設けられた、電子機器。
【請求項６】
前記シャッターは、前記ベース部から前記カメラの光軸に沿い前記カメラから前記シートに向かう方向に突出し、前記第１の部分と前記第２の部分との接続部分に位置された操作片を有した、請求項５に記載の電子機器。
【請求項７】
前記シートは、外周縁が前記カメラの撮像領域の外周面を囲むように位置され前記レンズへの前記光の入射を許容する透明領域と、前記撮像領域外に位置され前記透明領域を囲んだ非透明領域と、を有し、
前記シャッターには、前記シャッターが前記開位置に位置された場合に、前記レンズの前記入射側に位置して前記透明領域に面し、前記レンズから遠ざかるにつれて径が大きくなり、外周面が前記撮像領域の前記外周面を囲む貫通孔が設けられた、請求項４〜６のうちいずれか一つに記載の電子機器。
【請求項８】
収容体と、
前記収容体の外部からの光が入射するレンズを有し、前記収容体に収容されたカメラと、
前記レンズの前記光の入射側から前記カメラを覆い、前記レンズへの前記光の入射を許容するシートと、
前記収容体に設けられ、シャッターが取り付けられた場合、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、
を備え、
前記収容体は、外面を有し、
前記シャッター支持部は、前記外面から前記収容体の内部へ向かう方向に延びた複数の側面と前記複数の側面を前記外面とは反対側で接続した底面とを有し前記シャッターが入れられる凹状面を有し、
前記複数の側面は、前記凹状面に囲まれた凹部が前記底面から離れるにつれて広がるように前記底面に対して傾斜した傾斜面を含む、電子機器。
【請求項９】
前記収容体は、外面を有し、
前記シャッター支持部は、前記外面から前記収容体の内部へ向かう方向に延びた複数の側面と前記複数の側面を前記外面とは反対側で接続した底面とを有し前記シャッターが入れられる凹状面を有し、
前記複数の側面は、前記凹状面に囲まれた凹部が前記底面から離れるにつれて広がるように前記底面に対して傾斜した傾斜面を含む、請求項１〜７のうちいずれか一つに記載の電子機器。
【請求項１０】
収容体と、
前記収容体の外部からの光が入射するレンズを有し、前記収容体に収容されたカメラと、
前記レンズの前記光の入射側から前記カメラを覆い、前記レンズへの前記光の入射を許容するシートと、
シャッターと、
前記収容体に設けられ、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、
を備え、
前記シートには、外部から前記シャッターを部分的に視認可能にした視認部が設けられ、
前記シャッターには、前記シャッターが前記閉位置に位置された場合に前記視認部に面し前記シャッターが前記閉位置に位置されたことを表す第１の領域と、前記シャッターが前記開位置に位置された場合に前記視認部に面し前記シャッターが前記開位置に位置されたことを示す第２の領域と、が設けられた、電子機器。
【請求項１１】
前記シートには、外部から前記シャッターを部分的に視認可能にした視認部が設けられ、
前記シャッターには、前記シャッターが前記閉位置に位置された場合に前記視認部に面し前記シャッターが前記閉位置に位置されたことを表す第１の領域と、前記シャッターが前記開位置に位置された場合に前記視認部に面し前記シャッターが前記開位置に位置されたことを示す第２の領域と、が設けられた、請求項１〜７のうちいずれか一つに記載の電子機器。
【発明の詳細な説明】
【技術分野】
【０００１】
本発明は、電子機器に関する。
【背景技術】
【０００２】
従来、収容体と、収容体に収容されたカメラと、収容体の外部に対するカメラのレンズを覆う位置とレンズを露出させる位置とにスライド移動可能なシャッターと、を備えた電子機器が知られている。
【先行技術文献】
【特許文献】
【０００３】
【特許文献１】特開２０１９−２８１５７号公報
【発明の概要】
【発明が解決しようとする課題】
【０００４】
この種の電子機器では、例えば、ユーザがカメラの有無を選択可能な受注生産（ＢＴＯ）に対応できれば有益である。
【０００５】
そこで、本発明の課題の一つは、シャッターの有無を選択可能な受注生産（ＢＴＯ）に対応しやすい新規な構成の電子機器を得ることである。
【課題を解決するための手段】
【０００６】
本発明の第１の態様にかかる電子機器は、収容体と、前記収容体の外部からの光が入射するレンズを有し、前記収容体に収容されたカメラと、前記レンズの前記光の入射側から前記カメラを覆い、前記レンズへの前記光の入射を許容するシートと、シャッターと、前記収容体に設けられ、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、を備え、前記シートは、外周縁が前記カメラの撮像領域の外周面を囲むように位置され前記レンズへの前記光の入射を許容する透明領域と、前記撮像領域外に位置され前記透明領域を囲んだ非透明領域と、を有し、前記シャッターには、前記シャッターが前記開位置に位置された場合に、前記レンズの前記入射側に位置して前記透明領域に面し、前記レンズから遠ざかるにつれて径が大きくなり、外周面が前記撮像領域の前記外周面を囲む貫通孔が設けられている。
【０００９】
前記電子機器では、例えば、前記シャッターは、厚さ方向が前記カメラの光軸に沿い長手方向が前記シャッターのスライド移動方向に沿う帯板状のベース部と、前記スライド移動方向における前記ベース部の中央部に対して前記スライド移動方向の一方側に位置し前記ベース部から前記ベース部の短手方向に沿って互いに離れる方向に延び、前記シャッター支持部に接触した一対の第１の突起と、前記中央部に対して前記スライド移動方向の他方側に位置し前記ベース部から前記短手方向に沿って互いに離れる方向に延び、前記シャッター支持部に接触した一対の第２の突起と、を有し、前記シャッター支持部は、前記ベース部を、前記ベース部が前記カメラと前記シートとの間に位置して前記レンズを前記入射側から覆う閉位置と、前記ベース部が前記レンズを露出させる開位置と、の間で、スライド移動可能に、前記一対の第１の突起と前記一対の第２の突起とを介して支持する。
【００１０】
前記電子機器では、例えば、前記シャッターと前記シャッター支持部との一方には、位置決め突起が設けられ、前記シャッターと前記シャッター支持部との他方には、前記シャッターが前記閉位置に位置された場合に前記位置決め突起が嵌る第１の開口部と、前記シャッターが前記開位置に位置された場合に前記位置決め突起が嵌る第２の開口部と、が設けられている。
【００１１】
本発明の第２の態様にかかる電子機器は、収容体と、前記収容体の外部からの光が入射するレンズを有し、前記収容体に収容されたカメラと、前記レンズの前記光の入射側から前記カメラを覆い、前記レンズへの前記光の入射を許容するシートと、シャッターと、前記収容体に設けられ、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、を備え、前記シャッターは、前記カメラの光軸に沿い前記カメラから前記シートに向かう第１の方向を向いた第１の面と前記第１の面の反対側の第２の面とを有したベース部と、前記第１の面から前記第１の方向に突出した操作片と、を有し、前記シャッター支持部は、前記第１の方向を向き前記シャッターの前記第１の面と面する面を有し、前記シャッターの前記第２の面と前記シャッター支持部の前記面との一方には、位置決め突起が設けられ、前記シャッターの前記第２の面と前記シャッター支持部の前記面との他方には、前記シャッターが前記閉位置に位置された場合に前記位置決め突起が嵌る第１の開口部と、前記シャッターが前記開位置に位置された場合に前記位置決め突起が嵌る第２の開口部と、が設けられている。
【００１２】
本発明の第３の態様にかかる電子機器は、収容体と、前記収容体の外部からの光が入射するレンズを有し、前記収容体に収容されたカメラと、前記レンズの前記光の入射側から前記カメラを覆い、前記レンズへの前記光の入射を許容するシートと、シャッターと、前記収容体に設けられ、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、を備え、前記シャッターは、厚さ方向が前記カメラの光軸に沿い長手方向が前記シャッターのスライド移動方向に沿う帯板状に構成され、第１の部分と、前記長手方向に前記第１の部分と並べられ前記第１の部分よりも厚さが薄い第２の部分と、を有したベース部を有し、前記シャッターの前記第２の部分と前記シャッター支持部との一方には、前記ベース部の厚さ方向に延びた位置決め突起が設けられ、前記シャッターの前記第２の部分と前記シャッター支持部との他方には、前記シャッターが前記閉位置に位置された場合に前記位置決め突起が嵌る第１の開口部と、前記シャッターが前記開位置に位置された場合に前記位置決め突起が嵌る第２の開口部が設けられている。
【００１３】
前記電子機器では、例えば、前記シャッターは、前記ベース部から前記カメラの光軸に沿い前記カメラから前記シートに向かう方向に突出し、前記第１の部分と前記第２の部分との接続部分に位置された操作片を有する。
前記電子機器では、例えば、前記シートは、外周縁が前記カメラの撮像領域の外周面を囲むように位置され前記レンズへの前記光の入射を許容する透明領域と、前記撮像領域外に位置され前記透明領域を囲んだ非透明領域と、を有し、前記シャッターには、前記シャッターが前記開位置に位置された場合に、前記レンズの前記入射側に位置して前記透明領域に面し、前記レンズから遠ざかるにつれて径が大きくなり、外周面が前記撮像領域の前記外周面を囲む貫通孔が設けられている。
【００１４】
前記電子機器では、例えば、前記収容体は、外面を有し、前記シャッター支持部は、前記外面から前記収容体の内部へ向かう方向に延びた複数の側面と前記複数の側面を前記外面とは反対側で接続した底面とを有し前記シャッターが入れられる凹状面を有し、前記複数の側面は、前記凹状面に囲まれた凹部が前記底面から離れるにつれて広がるように前記底面に対して傾斜した傾斜面を含む。
本発明の第４の態様にかかる電子機器は、収容体と、前記収容体の外部からの光が入射するレンズを有し、前記収容体に収容されたカメラと、前記レンズの前記光の入射側から前記カメラを覆い、前記レンズへの前記光の入射を許容するシートと、前記収容体に設けられ、シャッターが取り付けられた場合、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、を備え、前記収容体は、外面を有し、前記シャッター支持部は、前記外面から前記収容体の内部へ向かう方向に延びた複数の側面と前記複数の側面を前記外面とは反対側で接続した底面とを有し前記シャッターが入れられる凹状面を有し、前記複数の側面は、前記凹状面に囲まれた凹部が前記底面から離れるにつれて広がるように前記底面に対して傾斜した傾斜面を含む。
【００１５】
前記電子機器では、例えば、前記シートには、外部から前記シャッターを部分的に視認可能にした視認部が設けられ、前記シャッターには、前記シャッターが前記閉位置に位置された場合に前記視認部に面し前記シャッターが前記閉位置に位置されたことを表す第１の領域と、前記シャッターが前記開位置に位置された場合に前記視認部に面し前記シャッターが前記開位置に位置されたことを示す第２の領域と、が設けられている。
本発明の第５の態様にかかる電子機器は、収容体と、前記収容体の外部からの光が入射するレンズを有し、前記収容体に収容されたカメラと、前記レンズの前記光の入射側から前記カメラを覆い、前記レンズへの前記光の入射を許容するシートと、シャッターと、前記収容体に設けられ、前記シャッターが前記カメラと前記シートとの間に位置して前記レンズを前記入射側から覆って前記レンズへの光を遮蔽する閉位置と、前記シャッターが前記レンズを露出させる開位置と、の間で、前記シャッターをスライド移動可能に支持するシャッター支持部と、を備え、前記シートには、外部から前記シャッターを部分的に視認可能にした視認部が設けられ、前記シャッターには、前記シャッターが前記閉位置に位置された場合に前記視認部に面し前記シャッターが前記閉位置に位置されたことを表す第１の領域と、前記シャッターが前記開位置に位置された場合に前記視認部に面し前記シャッターが前記開位置に位置されたことを示す第２の領域と、が設けられている。
【発明の効果】
【００１７】
本発明の上記態様によれば、シャッターの有無を選択可能な受注生産に対応しやすい新規な構成の電子機器を得ることができる。
【図面の簡単な説明】
【００１８】
【図１】図１は、実施形態の電子機器の正面側からの例示的な斜視図であって、電子機器が展開位置に位置された状態の図である。
【図２】図２は、実施形態の第２のモジュールにおける上端部の正面側からの例示的な分解斜視図である。
【図３】図３は、実施形態の第２のモジュールの上端部の例示的な正面図であって、シャッターが開位置に位置された状態の図である。
【図４】図４は、実施形態の第２のモジュールの上端部の例示的な正面図であって、シャッターが閉位置に位置された状態の図である。
【図５】図５は、図３のV-V断面図である。
【図６】図６は、図４のVI-VI断面図である。
【図７】図７は、図３のVII-VII断面図である。
【図８】図８は、実施形態の第２のモジュールにおける上端部の例示的な正面図であって、シートが取りはずれた状態の図である。
【図９】図９は、実施形態のシャッターの正面側からの例示的な斜視図である。
【図１０】図１０は、実施形態のシャッターの背面図側からの例示的な斜視図である。
【発明を実施するための形態】
【００１９】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００２０】
なお、本明細書では、序数は、部品や、部材、部位、位置、方向等を区別するためだけに用いられており、順番や優先度を示すものではない。
【００２１】
図１は、実施形態の電子機器１の正面側からの例示的な斜視図であって、第２のモジュール３が展開位置に位置された状態の図である。
【００２２】
図１に示されるように、電子機器１は、例えば、ノートブック型（クラムシェル型）のパーソナルコンピュータとして構成され、第１のモジュール２と、第２のモジュール３と、を備えている。第１のモジュール２は、例えば机や、台、棚等の載置部に載置される。第２のモジュール３は、第１のモジュール２に対して回転中心軸Ｃ回りに回転可能に第１のモジュール２に支持され、展開位置（図１）と閉じ位置（不図示）との間を移動可能である。具体的には、第２のモジュール３は、ヒンジ５を介して第１のモジュール２に連結されている。なお、電子機器１は、上記例には限定されず、例えば、デスクトップ型のパーソナルコンピュータや、スレート型（タブレット型）のパーソナルコンピュータ、スマートフォン、携帯電話、映像表示装置、テレビジョン受像機、ゲーム機等であってもよい。
【００２３】
なお、本実施形態では、便宜上、方向が定義されている。Ｘ１方向は、第１のモジュール２の前後方向の前方と同じである。Ｘ２方向は、Ｘ１方向の反対方向であって、第１のモジュール２の前後方向の後方と同じである。Ｙ１方向は、第１のモジュール２の幅方向（左右方向、長手方向）に沿う方向である。Ｙ２方向は、Ｙ１方向の反対方向である。Ｙ１方向は左方、Ｙ２は右方とも称される。Ｚ１方向は、第１のモジュール２の高さ方向（上下方向の上方）と同じである。Ｚ２方向は、Ｚ１方向の反対方向である。Ｘ１方向、Ｙ１方向、およびＺ１方向は、互いに直交している。また、Ｘ２方向、Ｙ２方向、およびＺ２方向は、互いに直交している。
【００２４】
第１のモジュール２は、第１の筐体１１と、第１の筐体１１に支持されたキーボード１２と、を有している。キーボード１２は、上方から操作可能な状態に第１の筐体１１に支持されている。また、第１の筐体１１内には、基板（不図示）が収容されている。基板には、ＣＰＵ（Central  Processing  Unit）や、ＲＯＭ（Read  Only  Memory）、ＲＡＭ（Random  Access  Memory）等の複数の電子部品（不図示）が実装されている。基板に設けられた配線と基板に実装された複数の電子部品とによって、電子機器１の電子回路の少なくとも一部が構成されている。
【００２５】
第２のモジュール３は、第２の筐体２１と、ディスプレイユニット２２と、タッチパネル２５と、を有している。ディスプレイユニット２２は、表示画面２２ａが前方から視認可能な状態に、第２の筐体２１に支持されている。また、タッチパネル２５は、ディスプレイユニット２２の表示画面２２ａを覆った状態で第２の筐体２１に支持されている。第２の筐体２１は、収容体の一例である。
【００２６】
第２のモジュール３（第２の筐体２１）が展開位置（図１）に位置した状態では、第１の筐体１１の上面１１ａおよびキーボード１２と、第２の筐体２１の前面２１ａおよびディスプレイユニット２２の表示画面２２ａとが対向せず、第１の筐体１１の上面１１ａ、キーボード１２、第２の筐体２１の前面２１ａ、ディスプレイユニット２２の表示画面２２ａが露出する。このとき、第２の筐体２１の前面２１ａおよび後面２１ｂは、それぞれ、前方および後方を向く。
【００２７】
一方、第２のモジュール３（第２の筐体２１）が閉じ位置（不図示）に位置した状態では、第１の筐体１１の上面１１ａおよびキーボード１２と、第２の筐体２１の前面２１ａおよびディスプレイユニット２２の表示画面２２ａとが対向する。
【００２８】
次に、第２のモジュール３について詳細に説明する。以下の説明では、特に言及しない限り、第２のモジュール３の姿勢は、表示画面２２ａがＸ１方向を向いた姿勢である。
【００２９】
図１に示されるように、第２の筐体２１は、扁平な略直方体に形成されている。第２の筐体２１は、例えば、前壁２１ｃや、後壁２１ｄ、下壁２１ｅ、上壁２１ｆ、左壁２１ｇ、右壁２１ｈ等の複数の壁を有している。
【００３０】
前壁２１ｃは、前面２１ａを含み、後壁２１ｄは、後面２１ｂを含む。
【００３１】
下壁２１ｅおよび上壁２１ｆは、それぞれ、第２の筐体２１の下端部２１ｉおよび上端部２１ｊを構成している。上端部２１ｊは、回転中心軸Ｃと離間している。下端部２１ｉは、上端部２１ｊに対して回転中心軸Ｃ側に設けられている。
【００３２】
左壁２１ｇおよび右壁２１ｈは、それぞれ、第２の筐体２１の左端部２１ｋおよび右端部２１ｍを構成している。
【００３３】
また、第２の筐体２１は、フロントカバー２３と、リヤカバー２４と、を含む複数の部材の組み合わせによって構成されている。フロントカバー２３は、前壁２１ｃの一部を含み、矩形枠状に形成されている。リヤカバー２４は、少なくとも後壁２１ｄを含む。フロントカバー２３とリヤカバー２４とは、爪やネジ等によって互いに結合されている。
【００３４】
タッチパネル２５は、フロントカバー２３における前面２１ａ側に配置され、当該前面２１ａに固定されている。フロントカバー２３の前面２１ａに対するタッチパネル２５の固定は、例えば両面接着テープによる接着によってなされている。タッチパネル２５は、扁平な略直方体に形成されている。なお、タッチパネル２５は、設けられていなくてもよい。
【００３５】
表示装置３１は、例えば、液晶ディスプレイである。なお、表示装置３１は、液晶ディスプレイに限られない。例えば、表示装置３１は、有機ＥＬ（Electro  Luminescence）ディスプレイ等であってもよい。
【００３６】
図２は、実施形態の第２のモジュール３における上端部２１ｊの正面側からの例示的な分解斜視図である。図３は、実施形態の第２のモジュール３の上端部２１ｊの例示的な正面図であって、シャッター５３が開位置に位置された状態の図である。図４は、実施形態の第２のモジュール３の上端部２１ｊの例示的な正面図であって、シャッター５３が閉位置に位置された状態の図である。図５は、図３のV-V断面図である。図６は、図４のVI-VI断面図である。図７は、図３のVII-VII断面図である。図８は、実施形態の第２のモジュール３における上端部２１ｊの例示的な正面図であって、シート５２が取りはずれた状態の図である。
【００３７】
図１〜図８に示されるように、第２のモジュール３は、カメラ５１と、シート５２と、シャッター５３と、支持部５４と、を備える。カメラ５１、シート５２、シャッター５３、および支持部５４は、第２のモジュール３の上端部２１ｊに設けられている。支持部５４は、前壁２１ｃに設けられている。カメラ５１は、第２の筐体２１内に収容されている。カメラ５１のレンズ５１ａは、支持部５４に設けられた貫通孔５６ｆ（図５）から露出している。シート５２およびシャッター５３は、支持部５４に収容された状態で支持部５４に支持されている（図５〜図７）。シャッター５３のＸ１方向にシート５２が位置されている。シート５２は、シャッター５３およびカメラ５１をＸ１方向から覆っている。シャッター５３は、Ｙ１方向およびＹ２方向にスライド移動可能に支持部５４に支持されている。
【００３８】
図２，図５等に示されるように、支持部５４は、シート５２を収容した状態でシート５２を支持したシート支持部５５と、シャッター５３を収容した状態でシャッター５３を支持したシャッター支持部５６と、を有する。
【００３９】
シート支持部５５は、前面２１ａからＸ２方向に凹んだ形状に構成されている。シート支持部５５は、Ｘ１方向を向いた底面５５ａを有する。
【００４０】
シャッター支持部５６は、シャッター５３を閉位置（図４，図６）と開位置（図３，図５）との間でスライド移動可能に支持している。閉位置は、シャッター５３がカメラ５１とシート５２との間に位置してレンズ５１ａを光の入射側（Ｘ１方向側）から覆ってレンズ５１ａへの光を遮蔽する位置である。開位置は、シャッター５３がレンズ５１ａを露出させる位置である。シャッター５３のスライド移動方向は、Ｙ１方向およびＹ２方向である。なお、以後、シャッター５３のスライド移動方向を単にスライド移動方向と言う場合がある。
【００４１】
図２等に示されるように、シャッター支持部５６は、底面５５ａからＸ２方向に凹んだ形状に構成されている。シャッター支持部５６は、底面５６ａ、上面５６ｂ、下面５６ｃ、左面５６ｄ、および右面５６ｅを有する。底面５６ａは、Ｘ１方向を向いている。上面５６ｂ、下面５６ｃ、左面５６ｄ、および右面５６ｅは、底面５６ａの外縁部からＸ１方向に延びている。上面５６ｂは、Ｚ２方向を向いてＹ１方向に延びている。下面５６ｃは、上面５６ｂのＺ２方向に位置し、Ｚ１方向を向いてＹ１方向に延びている。左面５６ｄは、Ｙ２方向かつＸ１方向を向いている。すなわち左面５６ｄは、底面５６ａに対して傾斜している。左面５６ｄは、Ｘ１方向に延びている。右面５６ｅは、左面５６ｄのＹ２方向に位置し、Ｙ１方向を向いてＸ１方向に延びている。底面５６ａ、上面５６ｂ、下面５６ｃ、左面５６ｄ、および右面５６ｅは、凹状面５６ｙを構成している。凹状面５６ｙは、凹部５６ｈを形成している。凹部５６ｈは、左面５６ｄの傾斜により、底面５６ａから離れるにつれて広がる。上面５６ｂ、下面５６ｃ、左面５６ｄ、および右面５６ｅは、複数の側面の一例である。左面５６ｄは、傾斜面の一例である。
【００４２】
シャッター支持部５６の底面５６ａには、貫通孔５６ｆと、二つの凹部５６ｇａ，５６ｇｂと、が設けられている。凹部５６ｇａは、貫通孔５６ｆのＹ１方向に位置され、凹部５６ｇｂは、凹部５６ｇａのＹ１方向に位置されている。また、上面５６ｂおよび下面５６ｃには、貫通孔５６ｉが設けられている。
【００４３】
図５〜図７等に示されるように、カメラ５２は、第２の筐体２１の光が入射するレンズ２ａと、レンズ２ａが固定された本体２ｂと、を有している。本体２ｂの内部には、イメージセンサ（不図示）が設けられている。イメージセンサは、レンズ２ａを介して光を受光する。カメラ５２は、基板５７に実装されている。
【００４４】
図９は、実施形態のシャッター５３の正面側からの例示的な斜視図である。図１０は、実施形態のシャッター５３の背面図側からの例示的な斜視図である。
【００４５】
図９，図１０に示されるように、シャッター５３は、ベース部５３Ａを有する。ベース部５３Ａは、Ｙ１方向を長手方向とし、Ｚ１方向を短手方向とする帯板状に構成されている。すなわち、ベース部５３Ａの長手方向は、シャッター５３のスライド移動方向に沿う。また、ベース部５３Ａの厚さ方向は、Ｘ１方向（カメラ５１の光軸Ｈ１（図５））に沿う。
【００４６】
ベース部５３Ａは、上端部５３ｃと、下端部５３ｄと、左端部５３ｅと、右端部５３ｆと、を有する。上端部５３ｃは、Ｚ１方向の端部であり、下端部５３ｄは、Ｚ２方向の端部である。すなわち、上端部５３ｃと下端部５３ｄとは、互いに反対側に設けられている。上端部５３ｃおよび下端部５３ｄは、Ｙ１方向に延びている。左端部５３ｅは、Ｙ１方向の端部であり、右端部５３ｆは、Ｙ２方向の端部である。すなわち、左端部５３ｅと右端部５３ｆとは、互いに反対側に設けられている。左端部５３ｅと右端部５３ｆとは、Ｚ１方向に延びている。シャッター５３は、例えば合成樹脂材料によって構成されている。
【００４７】
また、ベース部５３Ａは、Ｘ１方向を向いた前面５３ａと、Ｘ方向を向いた、前面５３ａの反対側の後面５３ｂと、を有する。前面５３ａおよび後面５３ｂは、それぞれ、上端部５３ｃと下端部５３ｄとに亘るとともに、左端部５３ｅと右端部５３ｆとに亘って設けられている。
【００４８】
また、シャッター５３は、一対の第１の突起５３ｇと、一対の第２の突起５３ｈと、一対の第３の突起５３ｉと、を有する。一対の第１の突起５３ｇは、スライド移動方向におけるベース部５３Ａの中央部５３ｔに対してスライド移動方向の一方側に位置し、ベース部５３Ａからベース部５３Ａの短手方向に沿って互いに離れる方向に延びて、シャッター支持部５６に接触している（図８）。一対の第２の突起５３ｈは、中央部５３ｔに対してスライド移動方向の他方側に位置しベース部５３Ａからベース部５３Ａの短手方向に沿って互いに離れる方向に延び、シャッター支持部５６に接触している（図８）。一対の第３の突起５３ｉは、シャッター支持部５６から離間している。
【００４９】
シャッター５３では、ベース部５３Ａがカメラ５１とシート５２との間に位置してレンズ５１ａを入射側から覆ってレンズ５１ａへの光を遮蔽する閉位置と、ベース部５３Ａがレンズ５１ａを露出させる開位置と、の間で、Ｙ１方向およびＹ２方向（交差方向）にスライド移動可能に、一対の第１の突起５３ｇと一対の第２の突起５３ｈとを介してシャッター支持部５６に支持されている。
【００５０】
また、シャッター５３は、一対の爪部５３ｊを有する。一対の爪部５３ｊは、シャッター支持部５６の一対の貫通孔５６ｉ（図２）に入れられてシャッター支持部５６に引っ掛かっている。これにより、シャッター支持部５６に対するシャッター５３の抜け止めがなされている。
【００５１】
また、図９に示されるように、シャッター５３は、操作片５３ｋを有する。操作片５３ｋは、前面５３ａからＸ１方向に突出している。
【００５２】
また、図１０に示されるように、シャッター５３は、摺動部５３ｍと、位置決め突起５３ｎと、を有する。摺動部５３ｍは、後面５３ｂから突出して、シャッター支持部５６の底面５５ａと摺動する。
【００５３】
位置決め突起５３ｎは、シャッター５３が閉位置に位置された場合に凹部５６ｇａに嵌り（図６）、シャッター５３が開位置に位置された場合に凹部５６ｇｂに嵌る（図５）。
【００５４】
また、図９，１０に示されるように、ベース部５３Ａには、貫通孔５３ｐが設けられている。貫通孔５３ｐは、シャッター５３が開位置に位置された場合に、レンズ５１ａの入射側に位置して後述のシート５２の透明領域５２ｒａに面する（図５）。貫通孔５３ｐは、レンズ５１ａから遠ざかるにつれて径が大きくなる。貫通孔５３ｐは、当該貫通孔５３ｐの外周面５３ｐａが撮像領域Ａ１の外周面Ａ１ａを囲むように、設けられている（図７）。
【００５５】
また、図９に示されるように、ベース部５３Ａは、ストライプ５３ｑが印字された領域５３ｒａと、ストライプ５３ｑが印字されていない領域５３ｒｂと、を有する。ストライプ５３ｑは、網目状ハッチングが付与されている。
【００５６】
また、ベース部５３Ａは、第１の部分５３ｓａと、第１の部分５３ｓａとＹ１方向（ベース部５３Ａの長手方向）に並べられた第２の部分５２ｓｂと、第１の部分５３ｓａと第２の部分５２ｓｂとを接続した接続部分５２ｓｃと、を有する。第２の部分５３ｓｂは、第１の部分５３ｓａよりも厚さが薄い。第１の部分５３ｓａは、操作片５３ｋのＹ２方向に位置し、第２の部分５３ｓｂは、操作片５３ｋのＹ１方向に位置している。第２の部分５３ｓｂに、位置決め突起５３ｎが設けられている。接続部分５２ｓｃに、操作片５３ｋが設けられている。
【００５７】
図３〜図６等に示されるように、シート５２は、レンズ５１ａの光の入射側（Ｘ１方向側）からカメラ５１を覆い、レンズ５１ａへの光の入射を許容する。
【００５８】
シート５２は、Ｙ１方向およびＹ２方向を長手方向とし、Ｚ１方向およびＺ２方向を短手方向とした帯板状に形成されている。
【００５９】
図３に示すように、シート５２は、上端部５２ｃと、下端部５２ｄと、左端部５２ｅと、右端部５２ｆと、を有する。上端部５２ｃは、Ｚ１方向の端部であり、下端部５２ｄは、Ｚ２方向の端部である。すなわち、上端部５２ｃと下端部５２ｄとは、互いに反対側に設けられている。上端部５２ｃおよび下端部５２ｄは、Ｙ１方向に延びている。左端部５２ｅは、Ｙ１方向の端部であり、右端部５２ｆは、Ｙ２方向の端部である。すなわち、左端部５２ｅと右端部５２ｆとは、互いに反対側に設けられている。左端部５２ｅと右端部５２ｆとは、Ｚ１方向に延びている。
【００６０】
また、シート５２は、Ｘ１方向を向いた前面５２ａと、Ｘ２方向を向いた、前面５２ａの反対側の後面５２ｂ（図４）と、を有する。前面５２ａおよび後面５２ｂは、それぞれ、上端部５２ｃと下端部５２ｄとに亘るとともに、左端部５２ｅと右端部５２ｆとに亘って設けられている。
【００６１】
シート５２は、光の透過性を有する透明な基材５２ｍの表面に光の透過性を有さない塗料５２ｎが部分的に塗布されて構成されている。すなわち、シート５２は、光の透過性を有した透明領域５２ｒａと、光を遮断する非透明領域５３ｒｂと、を有する。図３，図４では、非透明領域５３ｒｂには、ドットハッチングが付与されている。透明領域５２ｒａは、当該透明領域５２ｒａの外周縁ｒａａ（図３）がカメラ５１の撮像領域Ａ１の外周面Ａ１ａ（図３）を囲むように、設けられている。透明領域５２ｒａは、レンズ５１ａへの光の入射を許容する。非透明領域５２ｒｂは、撮像領域Ａ１外に位置され透明領域５２ｒａを囲んでいる。
【００６２】
また、シート５２には、シート５２の厚さ方向（Ｘ１方向）にシート５２を貫通した貫通孔５２ｇａ，５２ｇｂ，５２ｇｃが設けられている。
【００６３】
貫通孔５２ｇａには、操作片５３ｋが入れられている。操作片５３ｋは、貫通孔５２ｇａから突出している。また、貫通孔５２ｇは、外部からシャッター５３を部分的に視認可能にしている。シャッター５３が閉位置に位置された場合には、シャッター５３の領域５３ｒｂが貫通孔５２ｇａに面しシャッター５３が閉位置に位置されたことを表す（図４）。一方、シャッター５３が開位置に位置された場合には、領域５３ｒｂが貫通孔５２ｇａに面しシャッター５３が開位置に位置されたことを示す（図３）。
【００６４】
以上の構成の電子機器では、ユーザは、シャッター５３の操作片５３ｋを押しながらシャッター５３をスライド移動方向に移動させることにより、シャッター５３を閉位置や開位置に移動させることができる。
【００６５】
以上のように、本実施形態の電子機器１は、第２の筐体２１（収容体）と、第２の筐体２１の外部からの光が入射するレンズ５１ａを有し、第２の筐体２１に収容されたカメラ５１と、レンズ５１ａの光の入射側からカメラ５１を覆い、レンズ５１ａへの光の入射を許容するシート５２と、第２の筐体２１に設けられ、シャッター５３が取り付けられた場合、シャッター５３がカメラ５１とシート５２との間に位置してレンズ５１ａを入射側から覆ってレンズ５１ａへの光を遮蔽する閉位置と、シャッター５３がレンズ５１ａを露出させる開位置と、の間で、シャッター５３をスライド移動可能に支持するシャッター支持部５６と、を備える。
【００６６】
このような構成によれば、シート５２が設けられていることにより、シャッター５３の有無に関わらず、シート５２によってカメラ５１を保護することできるので、シャッター５３の有無を選択可能な受注生産に対応しやすい。すなわち、電子機器１は、シャッター５３を備えていてもよいし、シャッター５３を備えていなくてもよい。
【００６７】
また、電子機器１は、例えば、シャッター５３を備える。
【００６８】
このような構成によれば、シャッター５３を閉位置に位置させることによってレンズ５１ａへの光を遮蔽することができるので、カメラ５１のセキュリティーを向上させることができる。
【００６９】
また、電子機器１では、例えば、シート５２は、外周縁ｒａａがカメラ５１の撮像領域Ａ１の外周面Ａ１ａを囲むように位置されレンズ５１ａへの光の入射を許容する透明領域５２ｒａと、撮像領域Ａ１外に位置され透明領域５２ｒａを囲んだ非透明領域５２ｒｂと、を有する。シャッター５３には、シャッター５３が開位置に位置された場合に、レンズ５１ａの入射側に位置して透明領域５２ｒａに面し、レンズ５１ａから遠ざかるにつれて径が大きくなり、外周面５３ｐａが撮像領域Ａ１の外周面Ａ１ａを囲む貫通孔５３ｐが設けられている。
【００７０】
このような構成によれば、例えば、シート５２とカメラ５１との位置ずれがある場合でも、当該位置ずれが目立つのを抑制することができる。
【００７１】
また、電子機器１では、例えば、シャッター５３は、厚さ方向がカメラ５１の光軸Ｈ１に沿い長手方向がシャッター５３のスライド移動方向に沿う帯板状のベース部５３Ａと、スライド移動方向におけるベース部５３Ａの中央部５３ｔに対してスライド移動方向の一方側に位置しベース部５３Ａからベース部５３Ａの短手方向に沿って互いに離れる方向に延び、シャッター支持部５６に接触した一対の第１の突起５３ｇと、中央部５３ｔに対してスライド移動方向の他方側に位置しベース部５３Ａからベース部５３Ａの短手方向に沿って互いに離れる方向に延び、シャッター支持部５６に接触した一対の第２の突起５３ｈと、を有する。シャッター支持部５６は、ベース部５３Ａを、ベース部５３Ａがカメラ５１とシート５２との間に位置してレンズ５１ａを入射側から覆う閉位置と、ベース部５３Ａがレンズ５１ａを露出させる開位置と、の間で、スライド移動可能に、一対の第１の突起５３ｇと一対の第２の突起５３ｈとを介して支持する。
【００７２】
このような構成によれば、例えば、シャッター５３の移動の際にシャッター５３のガタツキの発生を抑制しやすい。
【００７３】
また、電子機器１では、例えば、シャッター５３とシャッター支持部５６との一方には、位置決め突起５３ｎが設けられ、シャッター５３とシャッター支持部５６との他方には、シャッター５３が閉位置に位置された場合に位置決め突起５３ｎが嵌る凹部５６ｇａ（第１の開口部）と、シャッター５３が開位置に位置された場合に位置決め突起５３ｎが嵌る凹部５６ｇｂ（第２の開口部）と、が設けられている。
【００７４】
このような構成によれば、例えば、シャッター５３を閉位置や開位置に保持しやすい。
【００７５】
また、電子機器１では、例えば、シャッター５３は、カメラ５１の光軸Ｈ１に沿いカメラ５１からシート５２に向かうＸ１方向（第１の方向）を向いた前面５３ａ（第１の面）と前面５３ａの反対側の後面５３ｂ（第２の面）とを有したベース部５３Ａと、前面５３ａからＸ１方向に突出した操作片５３ｋと、を有する。シャッター支持部５６は、Ｘ１方向を向きシャッター５３の前面５３ａと面する底面５５ａ（面）を有する。シャッター５３の後面５３ｂとシャッター支持部５６の底面５６ａとの一方には、位置決め突起５３ｎが設けられ、シャッター５３の前面５３ａとシャッター支持部５６の底面５６ａとの他方には、シャッター５３が閉位置に位置された場合に位置決め突起５３ｎが嵌る凹部５６ｇａ（第１の開口部）と、シャッター５３が前記開位置に位置された場合に位置決め突起５３ｎが嵌る凹部５６ｇｂ（第２の開口部）と、が設けられている。
【００７６】
このような構成によれば、ユーザが、操作片５３ｋをＸ１方向（第１の方向）の反対方向に押しながら操作片５３ｋをスライド移動方向に移動させた場合に、位置決め突起５３ｎが凹部５６ｇａや凹部５６ｇｂに出入りする際のシャッター５３の挙動がユーザに伝わり易い。すなわち、ユーザがシャッター５３の操作のクリック感を得やすい。
【００７７】
電子機器１では、例えば、シャッター５３の第２の部分５３ｓｂとシャッター支持部５６との一方には、ベース部５３Ａの厚さ方向に延びた位置決め突起５３ｎが設けられている。シャッター５３の第２の部分５３ｓｂとシャッター支持部５６との他方には、シャッター５３が閉位置に位置された場合に位置決め突起５３ｎが嵌る凹部５６ｇａと、シャッター５３が開位置に位置された場合に位置決め突起５３ｎが嵌る凹部５６ｇｂが設けられている。
【００７８】
このような構成によれば、ユーザが、操作片５３ｋをＸ１方向の反対方向に押しながら操作片５３ｋをスライド移動方向に移動させた場合に、位置決め突起５３ｎが凹部５６ｇａや凹部５６ｇｂに出入りする際のシャッター５３の挙動がユーザにより伝わり易い。すなわち、ユーザがクリック感をより得やすい。
【００７９】
また、電子機器１では、例えば、シャッター５３は、ベース部５３Ａからカメラ５１の光軸Ｈ１に沿いカメラ５１からシート５２に向かう方向に突出し、第１の部分５３ｓａと第２の部分５３ｓｂとの接続部分５３ｓｃに位置された操作片５３ｋを有する。
【００８０】
このような構成によれば、ユーザが、操作片５３ｋをＸ１方向の反対方向に押しながら操作片５３ｋをスライド移動方向に移動させた場合に、位置決め突起５３ｎが凹部５６ｇａや凹部５６ｇｂに出入りする際のシャッター５３の挙動がユーザにより伝わり易い。すなわち、ユーザがクリック感をより得やすい。
【００８１】
また、電子機器１では、例えば、第２の筐体２１は、前面２１ａ（外面）を有する。シャッター支持部５６は、前面２１ａから第２の筐体２１の内部へ向かう方向に延びた複数の側面（上面５６ｂ、下面５６ｃ、左面５６ｄ、および右面５６ｅと複数の側面（上面５６ｂ、下面５６ｃ、左面５６ｄ、および右面５６ｅ）を前面２１ａとは反対側で接続した底面５６ａとを有しシャッター５３が入れられる凹状面５６ｙを有する。複数の側面（上面５６ｂ、下面５６ｃ、左面５６ｄ、および右面５６ｅ）は、凹状面５６ｙに囲まれた凹部５６ｈが底面５６ａから離れるにつれて広がるように底面５６ａに対して傾斜した左面５６ｄ（傾斜面）を含む。
【００８２】
このような構成によれば、例えば、凹部５６ｈにシャッター５３を入れ易い。
【００８３】
また、電子機器１では、例えば、シート５２には、外部からシャッター５３を部分的に視認可能にした貫通孔５２ｇａ（視認部）が設けられている。シャッター５３には、シャッター５３が閉位置に位置された場合に貫通孔５２ｇａに面しシャッター５３が閉位置に位置されたことを表す領域５３ｒｂ（第１の領域）と、シャッター５３が開位置に位置された場合に貫通孔５２ｇａに面しシャッター５３が開位置に位置されたことを示す領域５３ｒｂ（第２の領域）と、が設けられている。
【００８４】
このような構成によれば、ユーザがシャッター５３の位置を認識しやすい。
【００８５】
なお、上記実施形態では、シャッター５３に位置決め突起５３ｎが設けられ、シャッター支持部５６に、凹部５６ｇａ（第１の開口部）と、凹部５６ｇｂ（第２の開口部）と、が設けられた例が示されたが、これに限定されない。例えば、シャッター支持部５６に、位置決め突起５３ｎが設けられ、シャッター５３に凹部５６ｇａ（第１の開口部）と、凹部５６ｇｂ（第２の開口部）と、が設けられていてもよい。また、第１の開口部と第２の開口部は、貫通孔であってもよい。
【００８６】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００８７】
１…電子機器、２１…第２の筐体（収容体）、５１…カメラ、５１ａ…レンズ、５２…シート、５２ｒａ…透明領域、５２ｒｂ…非透明領域、５２ｇａ…貫通孔（視認部）、５３Ａ…ベース部、５３ａ…前面（第１の面）、５３ｂ…後面（第２の面）、５３ｔ…中央部、５３ｇ…第１の突起、５３ｈ…第２の突起、５３ｋ…操作片、５３ｎ…位置決め突起５３ｐ…貫通孔、５３ｓａ…第１の部分、５３ｓｂ…第２の部分、５３ｓｃ…接続部分、５６…シャッター支持部、５６ａ…底面（面）、５６ｄ…左面（側面、傾斜面）、５６ｇａ…凹部（第１の開口部）、５６ｇｂ…凹部（第２の開口部）、Ａ１…撮像領域、Ａ１ａ…外周面、Ｈ１…光軸。
【要約】
【課題】シャッターの有無を選択可能な受注生産に対応しやすい新規な構成の電子機器を得る。
【解決手段】電子機器は、収容体と、カメラと、シートと、シャッター支持部と、を備える。カメラは、収容体の外部からの光が入射するレンズを有し、収容体に収容されている。シートは、レンズの光の入射側からカメラを覆い、レンズへの前記光の入射を許容する。シャッター支持部は、収容体に設けられ、シャッターが取り付けられた場合、シャッターがカメラとシートとの間に位置してレンズを入射側から覆ってカメラへの光を遮蔽する閉位置と、シャッターがレンズを露出させる開位置と、の間で、シャッターをスライド移動可能に支持する。
【選択図】図２【図１】
0006807007.tif 000002
【図２】
0006807007.tif 000003
【図３】
0006807007.tif 000004
【図４】
0006807007.tif 000005
【図５】
0006807007.tif 000006
【図６】
0006807007.tif 000007
【図７】
0006807007.tif 000008
【図８】
0006807007.tif 000009
【図９】
0006807007.tif 000010
【図１０】
0006807007.tif 000011